(57)【要約】【課題】固定ビームの指向性アンテナを用いた非接触通信において、通信対象となる情報端末（例えば、キオスク端末）にユーザが携帯端末をかざすときに容易に互いのアンテナの位置合わせを行うことを可能とする。【解決手段】情報端末と携帯端末との間の非接触通信における位置合わせ補助装置は、情報端末と携帯端末との互いのアンテナの位置ずれの度合いを通知する通知部と、非接触通信による受信信号強度もしくは受信信号対雑音比、または情報端末が具備するカメラにより撮影された画像から検出された携帯端末のアンテナと情報端末のアンテナとの位置関係に基づいて、通知部を制御する制御部と、を備える。【選択図】図１
2015115783.tif 000002
【特許請求の範囲】
【請求項１】
情報端末と携帯端末との間の非接触通信における位置合わせ補助装置であって、
前記情報端末と前記携帯端末との互いのアンテナの位置ずれの度合いを通知する通知部と、
前記非接触通信による受信信号強度もしくは受信信号対雑音比、または前記情報端末が具備するカメラにより撮影された画像から検出された前記携帯端末のアンテナと前記情報端末のアンテナとの位置関係に基づいて、前記通知部を制御する制御部と、
を備えることを特徴とする位置合わせ補助装置。
【請求項２】
前記通知部は、前記情報端末の前記非接触通信が行われる位置に対応して設けられた送風機であり、
前記制御部は、
前記非接触通信による受信信号強度もしくは受信信号対雑音比、または前記情報端末が具備するカメラにより撮影された画像から検出された前記携帯端末のアンテナと前記情報端末のアンテナとの位置関係に基づいて、前記送風機から出力する風を制御する
ことを特徴とする請求項１に記載の位置合わせ補助装置。
【請求項３】
前記制御部は、
前記非接触通信による受信信号強度もしくは受信信号対雑音比が大きいほど、または前記情報端末が具備するカメラにより撮影された画像から検出された前記携帯端末のアンテナと前記情報端末のアンテナとの位置ずれが少ないほど、前記送風機から出力する風の強さが強くなるように、または風を出力する頻度が高くなるように制御する
ことを特徴とする請求項２に記載の位置合わせ補助装置。
【請求項４】
前記通知部は、前記情報端末の表示部であり、
前記制御部は、
前記非接触通信による受信信号強度もしくは受信信号対雑音比、または前記情報端末が具備するカメラにより撮影された画像から検出された前記携帯端末のアンテナと前記情報端末のアンテナとの位置関係に基づいて、前記表示部に表示する動画を制御する
ことを特徴とする請求項１に記載の位置合わせ補助装置。
【請求項５】
前記制御部は、
前記非接触通信による受信信号強度もしくは受信信号対雑音比が大きいほど、または前記情報端末が具備するカメラを用いて検出される前記情報端末のアンテナと前記携帯端末のアンテナとの位置ずれが少ないほど、前記表示部に表示する動画の再生速度が速くなるように制御する
ことを特徴とする請求項４に記載の位置合わせ補助装置。
【請求項６】
情報端末と携帯端末との間の非接触通信における位置合わせ補助方法であって、
前記情報端末と前記携帯端末との互いのアンテナの位置ずれの度合いを通知する通知手順と、
前記非接触通信による受信信号強度もしくは受信信号対雑音比、または前記情報端末が具備するカメラにより撮影された画像から検出された前記携帯端末のアンテナと前記情報端末のアンテナとの位置関係に基づいて、前記通知手順を変更する制御手順と、
を含むことを特徴とする位置合わせ補助方法。
【請求項７】
前記通知手順は、前記情報端末の前記非接触通信が行われる位置に対応して設けられた送風機から風を出力する手順を有し、
前記制御手順において、
前記非接触通信による受信信号強度もしくは受信信号対雑音比、または前記情報端末が具備するカメラにより撮影された画像から検出された前記携帯端末のアンテナと前記情報端末のアンテナとの位置関係に基づいて、前記送風機から出力する風を制御する
ことを特徴とする請求項６記載の位置合わせ補助方法。
【請求項８】
前記通知手順は、前記情報端末の表示部に動画を表示する手順を有し、
前記制御手順において、
前記非接触通信による受信信号強度もしくは受信信号対雑音比、または前記情報端末が具備するカメラにより撮影された画像から検出された前記携帯端末のアンテナと前記情報端末のアンテナとの位置関係に基づいて、前記表示部に表示する動画を制御する
ことを特徴とする請求項６記載の位置合わせ補助方法。
【発明の詳細な説明】
【技術分野】
【０００１】
本発明は、位置合わせ補助装置および位置合わせ補助方法に関する。
【背景技術】
【０００２】
近年、スマートフォンや無線ＬＡＮ（Ｌｏｃａｌ  Ａｒｅａ  Ｎｅｔｗｏｒｋ）の普及や無線伝送される画像や動画等の高精細化により、無線トラフィックが急増しており、マイクロ波帯の周波数逼迫が問題となっている。そのため、無線通信システムの更なる高速化が求められており、そのニーズに応えるために潤沢な周波数帯域を用いて超高速無線伝送が可能なミリ波帯の利用が検討されている。例えば６０ＧＨｚ帯は、日本国内においては９ＧＨｚ幅の広帯域を無線局免許なしで利用可能であり、ＩＥＥＥ８０２．１１ａｄやＷｉｒｅｌｅｓｓＨＤ（登録商標）等のミリ波無線規格の標準化が進められており、近年注目されている周波数帯である。
【０００３】
ミリ波帯を用いた無線通信システムのユースケースとして、通信距離が数ｍの部屋内通信や、図４に示す情報端末（例えばキオスク端末５００）と携帯端末１００との間の非接触通信（通信距離数ｃｍ）などが検討されている。前者（部屋内通信）では、宅内ＡＶ（Ａｕｄｉｏ  Ｖｉｓｕａｌ）機器やＰＣ（Ｐｅｒｓｏｎａｌ  Ｃｏｍｐｕｔｅｒ）とその周辺機器を無線接続し、ハイビジョン映像の非圧縮無線伝送や大容量ファイルの伝送といった用途が考えられている。また後者（非接触通信）では、街頭、駅、空港等の公共施設、コンビニエンスストア等の店舗などに設置されたキオスク端末にユーザが携帯端末をかざし、電子書籍や音楽、映画などの大容量コンテンツを瞬時にダウンロードするサービスが考えられている。
【０００４】
前述のとおり、６０ＧＨｚ帯は無線局免許なしで利用可能であるが、そのためには送信電力を１０ｍＷ以下とする必要がある。この制限に加え、ミリ波はマイクロ波に比べ伝搬損失が大きいという特徴があるため、一般的に高利得な指向性アンテナやビームフォーミング技術を用いて送受信機間で互いにビームを向け合って通信を行う。ＩＥＥＥ８０２．１１ａｄ等のミリ波無線規格は主に部屋内通信をターゲットとしており、このユースケースでは送信機と受信機の位置関係によって最適なビーム方向が異なるため、ビームフォーミング技術が採用されている。
【０００５】
非特許文献１によれば、ビームフォーミングを用いる場合、情報データを送信する前に送受信機が互いの方向にビームを向けるためのトレーニング期間が必要となる。しかし、非接触通信ではキオスク端末と携帯端末の１対１通信となるため、数Ｇｂｉｔ／ｓもの通信速度が保証され、大容量コンテンツを瞬時にダウンロードできる。このように伝送速度が向上しコンテンツのダウンロード時間が短くなると、ビームフォーミングを行うためのトレーニング期間が相対的に長くなり、課題となってくる。
【０００６】
ここで、非接触通信の利用形態を考えると、通信対象となる情報端末（例えばキオスク端末）にユーザが携帯端末をかざすことにより送受信機の位置関係はある程度限られるため、必ずしもビームフォーミングを用いる必要はない。固定ビームの指向性アンテナを送受に用いる場合、前述のトレーニング期間は不要となり、より効率的なコンテンツのダウンロードが可能となる。
【先行技術文献】
【非特許文献】
【０００７】
【非特許文献１】ＩＥＥＥ  Ｐ８０２．１１ａｄ  Ｄｒａｆｔ  Ｓｔｄ，  Ｄ２．０，  “９．２５  ＤＢＡＮＤ  ＢＥＡＭＦＯＲＭＩＮＧ”，  ｐｐ．２２６−２６４，  Ｍａｒｃｈ  ２０１１
【発明の概要】
【発明が解決しようとする課題】
【０００８】
固定ビームの指向性アンテナを用いた非接触通信では、ユーザが携帯端末をキオスク端末にかざすとき、以下のような要因により携帯端末とキオスク端末との互いのアンテナの位置ずれが生じることがある。
【０００９】
例えば図４（ａ）に示すように、携帯端末１００をキオスク端末５００のアンテナ５３０が設けられたタッチ部５２０にかざしたとする。なお、図４（ｂ）は携帯端末１００の裏面を示す図であり、携帯端末１００のアンテナ１３０が裏面側に設けられていることを示している。このとき、キオスク端末５００のタッチ部５２０と携帯端末１００との間の空間がユーザから死角となり、キオスク端末５００のアンテナ５３０や携帯端末１００のアンテナ１３０の位置を目視で確認できなくなることがある。これはユーザがキオスク端末５００と携帯端末１００との両方のアンテナを目視できるように視点を変えることで対応する方法もあるが、ユーザの使い勝手を考慮すると、より容易に位置合わせが行えることが望ましい。
【００１０】
また、図５は、キオスク端末６００のタッチ部６２０に、携帯端末１００を設置する際の位置を示す端末設置用ガイド６２１が設けられている例を示している。なお、図５（ｂ）は、図５（ａ）に示すキオスク端末６００のタッチ部６２０を拡大して示した図である。この端末設置用ガイド６２１に沿って携帯端末１００を置けるようにすることで、キオスク端末６００のアンテナ６３０の位置と、携帯端末１００のアンテナ１３０の位置とがずれないようにするといった方法も考えられる。しかし、携帯端末１００の裏面のアンテナ１３０の位置は端末の機種によって異なるため、機種によってはキオスク端末５００と携帯端末１００との互いのアンテナの位置ずれが生じてしまう。
【００１１】
このような要因により互いのアンテナの位置ずれが生じると、互いのアンテナのビームが向かい合った状態で通信できなくなるために通信品質が劣化し、例えばコンテンツをダウンロードができなくなることがある。
【００１２】
本発明は、このような事情を考慮してなされたものであり、その目的は、固定ビームの指向性アンテナを用いた非接触通信において、通信対象となる情報端末（例えば、キオスク端末）にユーザが携帯端末をかざすときに容易に互いのアンテナの位置合わせを行うことを可能とする位置合わせ補助装置および位置合わせ補助方法を提供することにある。
【課題を解決するための手段】
【００１３】
この発明は上述した課題を解決するためになされたもので、本発明の一態様は、情報端末と携帯端末との間の非接触通信における位置合わせ補助装置であって、前記情報端末と前記携帯端末との互いのアンテナの位置ずれの度合いを通知する通知部と、前記非接触通信による受信信号強度もしくは受信信号対雑音比、または前記情報端末が具備するカメラにより撮影された画像から検出された前記携帯端末のアンテナと前記情報端末のアンテナとの位置関係に基づいて、前記通知部を制御する制御部と、を備えることを特徴とする位置合わせ補助装置である。
【００１４】
また、本発明の一態様は、上記位置合わせ補助装置において、前記通知部が、前記情報端末の前記非接触通信が行われる位置に対応して設けられた送風機であり、前記制御部が、前記非接触通信による受信信号強度もしくは受信信号対雑音比、または前記情報端末が具備するカメラにより撮影された画像から検出された前記携帯端末のアンテナと前記情報端末のアンテナとの位置関係に基づいて、前記送風機から出力する風を制御することを特徴とする。
【００１５】
また、本発明の一態様は、上記位置合わせ補助装置において、前記制御部が、前記非接触通信による受信信号強度もしくは受信信号対雑音比が大きいほど、または前記情報端末が具備するカメラにより撮影された画像から検出された前記携帯端末のアンテナと前記情報端末のアンテナとの位置ずれが少ないほど、前記送風機から出力する風の強さが強くなるように、または風を出力する頻度が高くなるように制御することを特徴とする。
【００１６】
また、本発明の一態様は、上記位置合わせ補助装置において、前記通知部が、前記情報端末の表示部であり、前記制御部が、前記非接触通信による受信信号強度もしくは受信信号対雑音比、または前記情報端末が具備するカメラにより撮影された画像から検出された前記携帯端末のアンテナと前記情報端末のアンテナとの位置関係に基づいて、前記表示部に表示する動画を制御することを特徴とする。
【００１７】
また、本発明の一態様は、上記位置合わせ補助装置において、前記制御部が、前記非接触通信による受信信号強度もしくは受信信号対雑音比が大きいほど、または前記情報端末が具備するカメラを用いて検出される前記情報端末のアンテナと前記携帯端末のアンテナとの位置ずれが少ないほど、前記表示部に表示する動画の再生速度が速くなるように制御することを特徴とする。
【００１８】
また、本発明の一態様は、情報端末と携帯端末との間の非接触通信における位置合わせ補助方法であって、前記情報端末と前記携帯端末との互いのアンテナの位置ずれの度合いを通知する通知手順と、前記非接触通信による受信信号強度もしくは受信信号対雑音比、または前記情報端末が具備するカメラにより撮影された画像から検出された前記携帯端末のアンテナと前記情報端末のアンテナとの位置関係に基づいて、前記通知手順を変更する制御手順と、を含むことを特徴とする位置合わせ補助方法である。
【００１９】
また、本発明の一態様は、上記位置合わせ補助方法において、前記通知手順が、前記情報端末の前記非接触通信が行われる位置に対応して設けられた送風機から風を出力する手順を有し、前記制御手順において、前記非接触通信による受信信号強度もしくは受信信号対雑音比、または前記情報端末が具備するカメラにより撮影された画像から検出された前記携帯端末のアンテナと前記情報端末のアンテナとの位置関係に基づいて、前記送風機から出力する風を制御することを特徴とする。
【００２０】
また、本発明の一態様は、上記位置合わせ補助方法において、前記通知手順が、前記情報端末の表示部に動画を表示する手順を有し、前記制御手順において、前記非接触通信による受信信号強度もしくは受信信号対雑音比、または前記情報端末が具備するカメラにより撮影された画像から検出された前記携帯端末のアンテナと前記情報端末のアンテナとの位置関係に基づいて、前記表示部に表示する動画を制御することを特徴とする。
【発明の効果】
【００２１】
この発明によれば、固定ビームの指向性アンテナを用いた非接触通信において、通信対象となる情報端末（例えば、キオスク端末）にユーザが携帯端末をかざすときに容易に互いのアンテナの位置合わせを行うことを可能となる。
【図面の簡単な説明】
【００２２】
【図１】第１の実施形態における非接触通信システムの概略構成の一例を示す構成図である。
【図２】第１の実施形態におけるアンテナの位置合わせ補助の処理の一例を示すフローチャートである。
【図３】第３の実施形態における非接触通信システムの概略構成の一例を示す構成図である。
【図４】キオスク端末と携帯端末との間の非接触通信のイメージ図である。
【図５】端末設置用ガイドを用いたアンテナの位置合わせ方法を示す説明図である。
【発明を実施するための形態】
【００２３】
以下、図面を参照して、本発明の実施形態について説明する。
【００２４】
＜第１の実施形態＞
図１は、本発明の第１の実施形態における非接触通信システム１の概略構成の一例を示す構成図である。非接触通信システム１は、携帯端末１００と、本実施形態における位置合わせ補助装置３００を備えたキオスク端末２００と、を備えている。
【００２５】
携帯端末１００は、アンテナ１３０と、送信部１５０と、受信部１６０と、切替部１７０と、を備えている。アンテナ１３０は、例えば、ミリ波帯を用いた無線通信によりキオスク端末２００とデータの送受信を行うための固定ビームの指向性アンテナである。この図に示す例では、アンテナ１３０は、携帯端末１００の裏面側から電波を放射するように設けられている。送信部１５０は、アンテナ１３０に送信データを供給し、受信部１６０は、アンテナ１３０が受信した受信データを受け取る。切替部１７０は、アンテナ１３０と送信部１５０とが接続されている状態と、アンテナ１３０と受信部１６０とが接続されている状態とを切り替える。
【００２６】
例えば、携帯端末１００は、キオスク端末２００からデータを受信する場合には切替部１７０をアンテナ１３０と受信部１６０とが接続されている状態に制御し、キオスク端末２００に対してデータを送信する場合には切替部１７０をアンテナ１３０と送信部１５０とが接続されている状態に制御する。
【００２７】
キオスク端末２００は、街頭、公共施設、または店舗などに設置される情報端末の一例であり、ユーザの携帯端末１００と非接触通信を行うことにより、携帯端末１００に対してデータを送信、または携帯端末１００からデータを受信する。例えば、ユーザは、携帯端末１００をキオスク端末２００にかざして、非接触通信によりデータのダウンロードやアップロードを行うことができる。
【００２８】
図１（ａ）に示すキオスク端末２００は、ディスプレイ２１０と、タッチ部２２０と、アンテナ２３０と、送信部２５０と、受信部２６０と、切替部２７０と、位置合わせ補助装置３００と、を備えている。
ディスプレイ２１０は、例えばユーザが画面に触れることにより操作が可能なタッチパネル式のディスプレイであり、キオスク端末２００で利用できるコンテンツなどが表示される。タッチ部２２０には、携帯端末１００と非接触通信を行うためのアンテナ２３０が設けられている。即ち、タッチ部２２０は、キオスク端末２００において、携帯端末１００と非接触通信が行なわれる位置である。
【００２９】
アンテナ２３０は、例えば、ミリ波帯を用いた無線通信により携帯端末１００とデータの送受信を行うための固定ビームの指向性アンテナである。送信部２５０は、アンテナ２３０に送信データを供給し、受信部２６０は、アンテナ２３０が受信した受信データを受け取る。切替部２７０は、アンテナ２３０と送信部２５０とが接続されている状態と、アンテナ２３０と受信部２６０とが接続されている状態とを切り替える。
【００３０】
例えば、キオスク端末２００は、携帯端末１００からデータを受信する場合には切替部２７０をアンテナ２３０と受信部２６０とが接続されている状態に制御し、携帯端末１００に対してデータを送信する場合には切替部２７０をアンテナ２３０と送信部２５０とが接続されている状態に制御する。
【００３１】
具体的には、例えばキオスク端末２００から携帯端末１００へのダウンロードの場合で説明すると、キオスク端末２００の送信部２５０は、符号化や変調等の処理によりコンテンツのデータ系列の送信信号を生成し、生成した送信信号を、切替部２７０がアンテナ２３０と送信部２５０とが接続されている状態において、アンテナ２３０に出力する。アンテナ２３０は、送信部２５０から出力された送信信号を携帯端末１００に無線送信する。また、携帯端末１００のアンテナ１３０は、切替部１７０がアンテナ１３０と受信部１６０とが接続されている状態において、キオスク端末２００のアンテナ２３０から無線送信された無線信号を受信し、受信部１６０に出力する。受信部１６０は、アンテナ１３０で受信した信号に対して復調や復号等の処理を行って、コンテンツのデータ系列を復元する。
【００３２】
位置合わせ補助装置３００は、送風機３１０と、記憶部３２０と、カメラ３３０と、制御部３５０と、を備えている。
送風機３１０は、キオスク端末２００と携帯端末１００との互いのアンテナの位置ずれの度合いを通知する通知部としての機能を備えている。例えば、送風機３１０は、送風口３１５を備えており、送風口３１５から風を出力（送風）する。
【００３３】
送風口３１５は、ユーザがキオスク端末２００と非接触通信を行う（例えば、コンテンツをダウンロードするために利用する）ために携帯端末１００をタッチ部２２０にかざしたときにそのタッチ部２２０から携帯端末１００の方向に向かって風が出力されようにタッチ部２２０に設けられている。なお、送風口３１５は、タッチ部２２０の近傍に配置されてもよい。即ち、送風機３１０は、キオスク端末２００の非接触通信が行われる位置に対応して設けられている。
【００３４】
そして、送風機３１０は、制御部３５０の制御により、送風口３１５から風を出力したり、風の出力の停止をしたりする。また、送風機３１０は、制御部３５０の制御により、送風口３１５から出力する風の強さを変更する。
【００３５】
記憶部３２０には、位置合わせ補助装置３００において行う制御に関する制御情報が記憶されている。例えば、記憶部３２０には、送風機３１０が出力する風を制御するための制御情報が記憶されている。この制御情報は、例えば、携帯端末１００とキオスク端末２００との互いのアンテナの位置のずれに応じて制御する、送風機３１０が出力する風の強さを示す制御情報である。
【００３６】
カメラ３３０は、タッチ部２２０の近傍に設けられた撮像装置であり、タッチ部２２０に対してかざされる携帯端末１００を撮影する。例えば、カメラ３３０は、タッチ部２２０に対してかざされる携帯端末１００の裏面を撮影した画像を位置合わせ補助装置３００に出力する。なお、カメラ３３０は、タッチ部２２０に設けられてもよい。
【００３７】
制御部３５０は、キオスク端末２００のアンテナ２３０と、携帯端末１００のアンテナ１３０との位置ずれの度合いに基づいて、送風機３１０から出力する風を制御する。
例えば、制御部３５０は、キオスク端末２００とキオスク端末２００との間で行われる非接触通信による受信信号レベル（例えば、受信信号強度もしくは受信信号対雑音比）に基づいて、送風機３１０を制御する。また、制御部３５０は、カメラ３３０により撮影された画像から検出された携帯端末１００のアンテナ１３０とキオスク端末２００のアンテナ２３０との位置関係に基づいて、送風機３１０を制御してもよい。
【００３８】
以下、非接触通信による受信信号レベルに基づいて送風機３１０を制御する例と、カメラ３３０で撮影した画像に基づいて送風機３１０を制御する例とをそれぞれ詳しく説明する。
【００３９】
（受信信号レベルに基づいて送風機３１０を制御する例）
まず、非接触通信による受信信号レベルに基づいて送風機３１０を制御する例について説明する。ここで、非接触通信による受信信号レベルとは、例えば、非接触通信による受信信号強度もしくは受信信号対雑音比のことを指している。
【００４０】
ユーザが携帯端末１００をキオスク端末２００のタッチ部２２０にかざすと、キオスク端末２００は、非接触通信により携帯端末１００に無線信号を送信する。このとき、キオスク端末２００は、携帯端末１００からフィードバックされる、非接触通信による受信信号強度を示すＲＳＳＩ（Ｒｅｃｅｉｖｅｄ  Ｓｉｇｎａｌ  Ｓｔｒｅｎｇｔｈ  Ｉｎｄｉｃａｔｏｒ）、もしくは非接触通信による受信信号対雑音比を示すＳＮＲ（Ｓｉｇｎａｌ  ｔｏ  Ｎｏｉｓｅ  ｐｏｗｅｒ  Ｒａｔｉｏ）の情報に基づいて、送風機３１０を制御することでアンテナの位置合わせの補助を行う。
【００４１】
具体的には、携帯端末１００のアンテナ１３０は、キオスク端末２００のアンテナ２３０から送信された非接触通信による無線信号を受信して受信部１６０に出力する。受信部１６０は、アンテナ１３０で受信した無線信号からＲＳＳＩもしくはＳＮＲを測定する。なお、ＲＳＳＩとＳＮＲのいずれか一方のみを測定するようにしてもよい。携帯端末１００の送信部１５０は、測定したＲＳＳＩもしくはＳＮＲの情報に符号化や変調等の処理を行った信号を、アンテナ１３０を介してキオスク端末２００に無線送信することによりフィードバックする。
【００４２】
ここで、上述のフィードバックは、コンテンツのダウンロードに用いる非接触通信を用いて行ってもよい。また、キオスク端末２００および携帯端末１００が別途具備するＬＴＥ（Ｌｏｎｇ  Ｔｅｒｍ  Ｅｖｏｌｕｔｉｏｎ）に代表される無線ＷＡＮ（Ｗｉｄｅ  Ａｒｅａ  Ｎｅｔｗｏｒｋ）機能やＷｉＭＡＸ（登録商標）に代表される無線ＭＡＮ（Ｍｅｔｒｏｐｏｌｉｔａｎ  Ａｒｅａ．  Ｎｅｔｗｏｒｋ）機能、Ｗｉ−Ｆｉ（登録商標）に代表される無線ＬＡＮ（Ｌｏｃａｌ  Ａｒｅａ  Ｎｅｔｗｏｒｋ）機能、Ｂｌｕｅｔｏｏｔｈ（登録商標）に代表される無線ＰＡＮ（Ｐｅｒｓｏｎａｌ  Ａｒｅａ  Ｎｅｔｗｏｒｋ）機能等の無線通信機能を用いたマイクロ波等の異なる周波数で行ってもよい。
【００４３】
例えば、キオスク端末２００のアンテナ２３０は、携帯端末１００からフィードバックされるＲＳＳＩもしくはＳＮＲの情報を含む無線信号を非接触通信により受信し、受信部２６０に出力する。受信部２６０は、アンテナ２３０で受信した無線信号に対して復調や復号等の処理を行い、ＲＳＳＩもしくはＳＮＲの情報を復元し制御部３５０に出力する。
【００４４】
制御部３５０は、受信部２６０から出力されるＲＳＳＩもしくはＳＮＲの情報に基づいて、送風機３１０の送風口３１５から出力する風の強さを制御することで、ユーザが行うキオスク端末２００と携帯端末１００との互いのアンテナの位置合わせを補助する。具体的には、制御部３５０は、ＲＳＳＩもしくはＳＮＲが大きいほど送風機３１０の送風口３１５から出力する風の強さを強くする。一方、制御部３５０は、ＲＳＳＩもしくはＳＮＲが小さいほど送風機３１０の送風口３１５から出力する風の強さを弱くする。なお、制御部３５０は、誤りなく通信するための所要ＳＮＲ値よりもＳＮＲが小さい場合には、送風口３１５から風を出力しないように制御してもよい。
【００４５】
このように、制御部３５０は、携帯端末１００からフィードバックされるＲＳＳＩもしくはＳＮＲが大きいほど出力する風の強さを強くするため、ユーザは携帯端末１００が受ける風の強さに基づいて、より強く風を受けることができる位置に携帯端末１００のかざす位置を移動することができる。ここで、互いのアンテナの位置ずれが少ないほど、アンテナ１３０とアンテナ２３０とのビームが互いに向き合った状態で通信できるため、通信品質が向上する。即ち、ＲＳＳＩやＳＮＲが大きくなる。これにより、１６ＱＡＭ（Ｑｕａｄｒａｔｕｒｅ  Ａｍｐｌｉｔｕｄｅ  Ｍｏｄｕｌａｔｉｏｎ）や６４ＱＡＭ等のより伝送効率の良い変調方式を用いた通信が可能となる。
【００４６】
なお、携帯端末１００からフィードバックされるＲＳＳＩもしくはＳＮＲの情報を、非接触通信による受信信号強度もしくは受信信号対雑音比の例として説明したが、これに限られるものではない。例えば、非接触通信による受信信号強度もしくは受信信号対雑音比は、キオスク端末２００がアンテナ２３０で受信した無線信号から測定したＲＳＳＩもしくはＳＮＲの情報としてもよい。また、非接触通信による受信信号強度もしくは受信信号対雑音比に相当する情報であれば、ＲＳＳＩもしくはＳＮＲの情報に限らず他の情報であってもよい。
【００４７】
（カメラ３３０で撮影した画像に基づいて送風機３１０を制御する例）
次に、カメラ３３０により撮影された画像から検出された携帯端末１００のアンテナ１３０とキオスク端末２００のアンテナ２３０との位置関係に基づいて、送風機３１０を制御する例について説明する。
【００４８】
カメラ３３０は、キオスク端末２００のタッチ部２２０にかざされた携帯端末１００を撮影し、撮影した画像を制御部３５０に出力する。ここで、ユーザが携帯端末１００をタッチ部２２０にかざさす場合には、アンテナ１３０からの電波の放射方向がタッチ部２２０に向くため、携帯端末１００の裏面がカメラ３３０によって撮影される。携帯端末１００の裏面が覆われている筐体のうち、アンテナ１３０が設けられている位置には、ミリ波帯の電波を透過するための部材（携帯端末１００の筐体の部材よりも電波の透過率が高い部材）が用いられている（以下、この位置を「窓部」と称する）。
【００４９】
制御部３５０は、カメラ３３０により撮影された画像から、この画像の画像領域における上述の窓部の位置を検出する。ここで、カメラ３３０により撮影される画像領域と、キオスク端末２００のタッチ部２２０に設けられたアンテナ２３０の位置との位置関係は、それぞれの位置が固定されているため一意に定めることができる。そのため、制御部３５０は、カメラ３３０により撮影された画像から検出された携帯端末１００のアンテナ１３０とキオスク端末２００のアンテナ２３０との位置関係を検出することができる。
【００５０】
そして、制御部３５０は、カメラ３３０により撮影された画像から検出された携帯端末１００のアンテナ１３０とキオスク端末２００のアンテナ２３０との位置関係に基づいて、送風機３１０の送風口３１５から出力する風の強さを制御することで、キオスク端末２００と携帯端末１００との互いのアンテナの位置合わせを補助する。具体的には、制御部３５０は、カメラ３３０から出力された画像からアンテナ１３０とアンテナ２３０との位置関係を検出し、互いのアンテナの位置ずれが少ないほど送風機３１０の送風口３１５から出力する風の強さを強くする。一方、制御部３５０は、互いのアンテナの位置ずれが多いほど送風機３１０の送風口３１５から出力する風の強さを弱くする。
【００５１】
このように、制御部３５０は、互いのアンテナの位置ずれが少ないほど出力する風の強さを強くするため、ユーザは携帯端末１００が受ける風の強さに基づいて、より強く風を受けることができる位置に携帯端末１００のかざす位置を移動することができる。ここで、互いのアンテナの位置ずれが少ないほど、アンテナ１３０とアンテナ２３０とのビームが互いに向き合った状態で通信できるため、通信品質が向上する。即ち、ＲＳＳＩやＳＮＲが大きくなる。これにより、１６ＱＡＭや６４ＱＡＭ等のより伝送効率の良い変調方式を用いた通信が可能となる。
【００５２】
なお、制御部３５０は、カメラ３３０により撮影された画像に基づいて携帯端末１００のアンテナ１３０とキオスク端末２００のアンテナ２３０との位置関係を検出する場合、上述したようにカメラ３３０により撮影された画像から検出した窓部の位置に基づいて検出する方法以外の方法を用いてもよい。例えば、制御部３５０は、携帯端末１００の機種を認識し、認識した機種の外形に対するアンテナ１３０の位置と、カメラ３３０により撮影された画像に基づいて、キオスク端末２００のアンテナ２３０との位置関係を検出してもよい。この場合、例えば、キオスク端末２００と通信が可能な複数の端末の機種情報と、それぞれの端末におけるアンテナの位置情報とが関連付けられた情報を記憶部３２０に記憶しておいて参照することにより、制御部３５０は、認識した機種の外形に対するアンテナ１３０の位置を特定してもよい。また、制御部３５０が携帯端末１００の機種を認識する方法としては、カメラ３３０により撮影された携帯端末１００（タッチ部２２０にかざされた携帯端末１００）の機種情報を、無線通信機能を用いて取得し、取得した機種情報に基づいて携帯端末１００の機種を認識する方法としてもよい。ここで、無線通信機能は、例えば、ＬＴＥに代表される無線ＷＡＮ機能やＷｉＭＡＸ（登録商標）に代表される無線ＭＡＮ機能、Ｗｉ−Ｆｉ（登録商標）に代表される無線ＬＡＮ機能、Ｂｌｕｅｔｏｏｔｈ（登録商標）に代表される無線ＰＡＮ機能等のいずれであってもよい。また、制御部３５０が携帯端末１００の機種を認識する方法として、キオスク端末２００と通信が可能な複数の端末の各テンプレート画像を記憶しておき、カメラ３３０により撮影された画像とテンプレートマッチングを行い、携帯端末１００の機種を認識する方法としてもよい。
【００５３】
（アンテナの位置合わせ補助の処理の動作）
次に、図２を参照して、本実施形態におけるアンテナの位置合わせ補助の処理の動作について説明する。図２は、本実施形態におけるアンテナの位置合わせ補助の処理の一例を示すフローチャートである。
【００５４】
まず、ユーザがキオスク端末２００からコンテンツのダウンロードを開始するために、携帯端末１００をキオスク端末のタッチ部２２０にかざすと、キオスク端末２００は、無線信号を携帯端末１００に対して送信する（ステップＳ１０）。
【００５５】
携帯端末１００はキオスク端末２００から送信された無線信号を受信すると、ＲＳＳＩもしくはＳＮＲを測定する（ステップＳ２０）。次に、携帯端末１００はキオスク端末２００にＲＳＳＩもしくはＳＮＲの情報をフィードバックする（ステップＳ３０）。
【００５６】
キオスク端末２００の制御部３５０は、携帯端末１００からフィードバックされたＲＳＳＩもしくはＳＮＲの情報、またはカメラ３３０が撮影した画像から検出されたキオスク端末２００と携帯端末１００との互いのアンテナの位置関係から、送風機３１０の送風口３１５から出力する風の強さを決定する。そして、制御部３５０は、決定した風の強さで送風口３１５から風が出力されるように、送風機３１０を制御する。これにより、送風機３１０は、制御部３５０が決定した風の強さで送風口３１５から風を出力する（ステップＳ４０）。
【００５７】
ユーザは携帯端末１００が受ける風の強さに基づいて、より強く風を受けることができる位置に携帯端末１００のかざす位置を移動する（ステップＳ５０）。
【００５８】
これにより、キオスク端末２００と携帯端末１００との互いのアンテナの位置合わせが行われ、非接触通信のよるキオスク端末２００から携帯端末１００へのコンテンツのダウンロードの通信品質が向上する。
【００５９】
なお、上述した処理において、非接触通信による受信信号強度もしくは受信信号対雑音比（例えば、ＲＳＳＩもしくはＳＮＲ）と、カメラ３３０により撮影された画像との両方に基づいて送風機３１０を制御することでアンテナの位置合わせの補助を行ってもよいし、いずれか一方のみに基づいて送風機３１０を制御することでアンテナの位置合わせの補助を行ってもよい。なお、非接触通信による受信信号強度もしくは受信信号対雑音比（例えば、ＲＳＳＩもしくはＳＮＲ）と、カメラ３３０により撮影された画像との両方に基づいて送風機３１０を制御する場合、条件によって、いずれか一方のみに基づいて送風機３１０を制御する場合よりも互いのアンテナの位置ずれを精度よく検出し、より適切にアンテナの位置合わせの補助をすることができる。例えば、カメラ３３０によって撮影された画像のみでは、厳密にはアンテナの位置関係がわからない場合があるため、非接触通信による受信信号強度もしくは受信信号対雑音比（例えば、ＲＳＳＩもしくはＳＮＲ）と、カメラ３３０により撮影された画像との両方に基づいて送風機３１０を制御する方が、より適切にアンテナの位置合わせの補助をすることができることがある。
【００６０】
なお、上述した処理では、キオスク端末２００からのダウンロードの場合のみについて説明したが、キオスク端末へのアップロードの場合においても、同様の構成で実施可能である。例えば、アップロードの場合は、携帯端末１００からＲＳＳＩもしくはＳＮＲをキオスク端末２００にフィードバックをする必要はなく、携帯端末１００から送信された無線信号のＲＳＳＩもしくはＳＮＲをキオスク端末２００が測定し、制御部３５０に出力すればよい。
【００６１】
以上説明したように、本実施形態による位置合わせ補助装置３００は、キオスク端末２００（情報端末）と携帯端末１００との間の非接触通信における互いのアンテナの位置合わせの補助を行う。例えば、位置合わせ補助装置３００は、キオスク端末２００と携帯端末１００との互いのアンテナの位置ずれの度合いを通知する通知部と、制御部３５０と、を備えている。制御部３５０は、非接触通信による受信信号強度もしくは受信信号対雑音比（例えば、ＲＳＳＩもしくはＳＮＲ）、またはキオスク端末２００が具備するカメラ３３０により撮影された画像から検出された携帯端末１００のアンテナ１３０とキオスク端末２００のアンテナ２３０との位置関係に基づいて、上記通知部を制御する。
【００６２】
例えば、上記通知部は、キオスク端末２００（情報端末）の非接触通信が行われる位置に対応して設けられた送風機３１０である。そして、制御部３５０は、非接触通信による受信信号強度もしくは受信信号対雑音比（例えば、ＲＳＳＩもしくはＳＮＲ）、またはキオスク端末２００が具備するカメラ３３０により撮影された画像から検出された携帯端末１００のアンテナ１３０とキオスク端末２００のアンテナ２３０との位置関係に基づいて、送風機３１０から出力する風の強さを制御する。
【００６３】
このように、本実施形態による位置合わせ補助装置３００は、キオスク端末２００と携帯端末１００との互いのアンテナの位置ずれに応じて送風機３１０から出力する風の強さを変えることにより、互いのアンテナの位置ずれが少なくなるような携帯端末１００のかざす位置をユーザに通知することができる。したがって、本実施形態によれば、固定ビームの指向性アンテナを用いた非接触通信において、通信対象となる情報端末（例えば、キオスク端末２００）にユーザが携帯端末１００をかざすときに容易に互いのアンテナの位置合わせを行うことを可能となる。
【００６４】
よって、ユーザは、携帯端末１００は受ける風の強さに基づいて、互いのアンテナの位置ずれが少なくなるような位置に携帯端末１００のかざす位置を移動することができる。
また、電波は見えないため、通信できているか又は伝送速度がどれほど速いかをユーザは通常は把握できない。それに対して、本実施形態によれば、互いのアンテナの位置ずれの度合い（即ち、通信品質や伝送速度）と、風の強さとを対応づけることできるため、ユーザが通信状況を感覚的に把握することが可能となる。
【００６５】
例えば、制御部３５０は、非接触通信による受信信号強度もしくは受信信号対雑音比（例えば、ＲＳＳＩもしくはＳＮＲ）が大きいほど、またはキオスク端末２００が具備するカメラ３３０により撮影された画像から検出された携帯端末１００のアンテナ１３０とキオスク端末２００のアンテナ２３０との位置ずれが少ないほど、送風機３１０から出力する風の強さが強くなるように制御する。これにより、ユーザは、より強く風を受けることができる位置に携帯端末１００をかざすだけで、互いのアンテナの位置ずれが少なくなるようにすることができる。したがって、本実施形態によれば、視覚障害者でもアンテナの位置合わせを行うことが可能となる。
【００６６】
なお、制御部３５０は、送風機３１０から出力する風の強さに代えて、風量を制御してもよい。
【００６７】
＜第２の実施形態＞
次に、本発明の第２の実施形態について説明する。本実施形態の非接触通信システム１の構成は、第１の実施形態と同様であるので、本実施形態において特徴的な処理について説明する。
【００６８】
上述した第１の実施形態の位置合わせ補助装置３００は、ＲＳＳＩもしくはＳＮＲの大きさ、またはカメラ３３０が撮影した画像から検出された互いのアンテナの位置関係に基づいて送風機３１０から出力する風の強さ（または風量）を制御することで、ユーザが通信状況を感覚的に把握することを可能とするものであった。これに対して、本実施形態における位置合わせ補助装置３００では、ＲＳＳＩもしくはＳＮＲの大きさ、またはカメラ３３０が撮影した画像から検出された互いのアンテナの位置関係に基づいて、送風機３１０から風を出力する頻度を制御することで、ユーザが通信状況を感覚的に把握することを可能とする。
【００６９】
風の出力頻度の制御方法を以下に説明する。例えば、制御部３５０は、１回に０．１秒間や０．２秒間などといった短時間の風の出力を、所定の時間間隔で繰り返すように送風機３１０を制御する。このとき、制御部３５０は、ＲＳＳＩやＳＮＲが大きいほど短い時間間隔で風を出力するように制御して、風の出力頻度を上げる。一方、制御部３５０は、ＲＳＳＩやＳＮＲが小さいほど長い時間間隔で風を出力するように制御して、風の出力頻度を下げる。また、制御部３５０は、カメラ３３０により撮影された画像からアンテナ１３０とアンテナ２３０との位置関係を検出し、互いのアンテナの位置ずれが少ないほど短い時間間隔で風を出力するように制御して、風の出力頻度を上げる。一方、制御部３５０は、互いのアンテナの位置ずれが多いほど長い時間間隔で風を出力するように制御して、風の出力頻度を下げる。制御部３５０は、誤りなく通信するための所要ＳＮＲ値よりもＳＮＲが小さい場合には、送風口３１５から風を出力しないように制御してもよい。
【００７０】
以上説明したように、本実施形態における位置合わせ補助装置３００は、第１の実施形態と同様に、キオスク端末２００と携帯端末１００との互いのアンテナの位置ずれの度合いを通知する通知部と、制御部３５０と、を備えている。
【００７１】
ここで、上記通知部は、キオスク端末２００（情報端末）の非接触通信が行われる位置に対応して設けられた送風機３１０である。そして、制御部３５０は、非接触通信による受信信号強度もしくは受信信号対雑音比（例えば、ＲＳＳＩもしくはＳＮＲ）、またはキオスク端末２００が具備するカメラ３３０により撮影された画像から検出された携帯端末１００のアンテナ１３０とキオスク端末２００のアンテナ２３０との位置関係に基づいて、送風機３１０から風を出力する頻度を制御する。
【００７２】
このように、本実施形態による位置合わせ補助装置３００は、キオスク端末２００と携帯端末１００との互いのアンテナの位置ずれに応じて送風機３１０から風を出力する頻度を変えることにより、互いのアンテナの位置ずれが少なくなるような携帯端末１００のかざす位置をユーザに通知することができる。したがって、本実施形態によれば、固定ビームの指向性アンテナを用いた非接触通信において、通信対象となる情報端末（例えば、キオスク端末２００）にユーザが携帯端末１００をかざすときに容易に互いのアンテナの位置合わせを行うことを可能となる。
【００７３】
よって、ユーザは、携帯端末１００は受ける風の頻度に基づいて、互いのアンテナの位置ずれが少なくなるような位置に携帯端末１００のかざす位置を移動することができる。
また、電波は見えないため、通信できているか又は伝送速度がどれほど速いかをユーザは通常は把握できない。それに対して、本実施形態によれば、互いの位置ずれの度合い（即ち、通信品質や伝送速度）と、風を出力する頻度とを対応づけることできるため、ユーザが通信状況を感覚的に把握することが可能となる。
【００７４】
例えば、非接触通信による受信信号強度もしくは受信信号対雑音比（例えば、ＲＳＳＩもしくはＳＮＲ）が大きいほど、またはキオスク端末２００が具備するカメラ３３０により撮影された画像から検出された携帯端末１００のアンテナ１３０とキオスク端末２００のアンテナ２３０との位置ずれが少ないほど、送風機３１０から風を出力する頻度が高くなるように制御する。これにより、ユーザは、より高頻度に風を受けることができる位置に携帯端末１００をかざすだけで、互いのアンテナの位置ずれが少なくなるようにすることができる。
【００７５】
＜第３の実施形態＞
次に、本発明の第３の実施形態について説明する。
図３は、本実施形態における非接触通信システム１ａの概略構成の一例を示す構成図である。非接触通信システム１ａは、携帯端末１００と、本実施形態における位置合わせ補助装置３００ａを備えたキオスク端末２００ａと、を備えている。なお、この図３において、図１の各部に対応する部分には同一の符号を付けており、その説明を省略する。
【００７６】
上述した第１の実施形態および第２の実施形態における位置合わせ補助装置３００は、ＲＳＳＩもしくはＳＮＲの大きさ、またはカメラ３３０が撮影した画像から検出された互いのアンテナの位置関係に基づいて送風機３１０から出力する風の強さや出力頻度を制御することで、ユーザが通信状況を感覚的に把握することを可能とするものであった。これに対して、本実施形態における位置合わせ補助装置３００ａでは、ＲＳＳＩもしくはＳＮＲの大きさ、またはカメラ３３０が撮影した画像から検出された互いのアンテナの位置関係に基づいて、キオスク端末２００ａのディスプレイ２１０に、互いのアンテナの位置ずれの度合い（即ち、通信品質や伝送速度）を表す動画を表示することで、ユーザが通信状況を容易に把握することを可能とする。また、本実施形態における位置合わせ補助装置３００ａでは、さらにユーザが位置合わせを行うために携帯端末１００の移動すべき方向を表示することで、ユーザが通信状況を容易に把握することを可能とする。
【００７７】
本実施形態における位置合わせ補助装置３００ａは、記憶部３２０と、カメラ３３０と、制御部３５０ａと、を備えている。
制御部３５０ａは、受信部２６０から出力されるＲＳＳＩもしくはＳＮＲの情報、またはカメラ３３０から出力された画像に基づいて、キオスク端末２００ａのディスプレイ２１０に互いのアンテナの位置ずれの度合い（即ち、通信品質や伝送速度）を表す動画を表示する制御をすることで、ユーザが行うアンテナの位置合わせを補助する。
【００７８】
例えば、制御部３５０ａは、ＲＳＳＩもしくはＳＮＲが大きいほど、またはカメラ３３０により撮影された画像から検出したアンテナ１３０とアンテナ２３０との位置関係から検出される位置ずれが少ないほど、ディスプレイ２１０に表示される動画をスムーズに（なめらかに）再生するように制御する。
【００７９】
具体的には、制御部３５０ａは、ディスプレイ２１０に動画を表示し、ＲＳＳＩもしくはＳＮＲが大きいほど、またはカメラ３３０により撮影された画像から検出したアンテナ１３０とアンテナ２３０との位置関係から検出される位置ずれが少ないほど、ディスプレイ２１０に表示する動画の再生速度を速くする。一方、制御部３５０ａは、ＲＳＳＩもしくはＳＮＲが小さいほど、またはカメラ３３０により撮影された画像から検出したアンテナ１３０とアンテナ２３０との位置関係から検出される位置ずれが多いほど、ディスプレイ２１０に表示する動画の再生速度を遅くする。
【００８０】
また、制御部３５０は、位置ずれが少なくなる方向を示す情報を、さらにディスプレイ２１０に表示してもよい。この場合の方向を示す情報は、例えば、方向を示す矢印であってもよいし、方向を示すマーカであってもよいし、任意の表示情報を適用することができる。
【００８１】
なお、位置合わせ補助装置３００ａのその他の構成（記憶部３２０、カメラ３３０）の機能及び動作は、第１の実施形態と同様である。
【００８２】
以上説明したように、本実施形態における位置合わせ補助装置３００ａは、キオスク端末２００ａ（情報端末）と携帯端末１００との互いのアンテナの位置ずれの度合いを通知する通知部と、制御部３５０と、を備えているが、この通知部がキオスク端末２００ａのディスプレイ２１０（表示部）であることが、第１の実施形態及び第２の実施形態における位置合わせ補助装置３００と異なる。制御部３５０は、非接触通信による受信信号強度もしくは受信信号対雑音比（例えば、ＲＳＳＩもしくはＳＮＲ）、またはキオスク端末２００ａが具備するカメラ３３０により撮影された画像から検出された携帯端末１００のアンテナ１３０とキオスク端末２００ａのアンテナ２３０との位置関係に基づいて、ディスプレイ２１０に表示する動画を制御する。例えば、制御部３５０は、動画の再生速度を制御する。
【００８３】
このように、本実施形態による位置合わせ補助装置３００ａは、キオスク端末２００ａと携帯端末１００との互いのアンテナの位置ずれに応じてディスプレイ２１０に表示する動画を制御（例えば、再生速度を制御）することにより、互いのアンテナの位置ずれが少なくなるような携帯端末１００のかざす位置をユーザに通知することができる。したがって、本実施形態によれば、固定ビームの指向性アンテナを用いた非接触通信において、通信対象となる情報端末（例えば、キオスク端末２００ａ）にユーザが携帯端末１００をかざすときに容易に互いのアンテナの位置合わせを行うことを可能となる。
【００８４】
よって、ユーザは、携帯端末１００は、キオスク端末２００ａに表示される動画の再生速度に基づいて、互いのアンテナの位置ずれが少なくなるような位置に携帯端末１００のかざす位置を移動することができる。
また、電波は見えないため、通信できているか又は伝送速度がどれほど速いかをユーザは通常は把握できない。それに対して、本実施形態によれば、互いのアンテナの位置ずれの度合い（即ち、通信品質や伝送速度）と、動画の再生速度とを対応づけることできるため、ユーザが通信状況を感覚的に把握することが可能となる。即ち、本実施形態によれば、互いのアンテナの位置ずれの度合い（即ち、通信品質や伝送速度）を表す動画をディスプレイ２１０に表示することで、ユーザは通信状況を容易に把握することが可能となる。
【００８５】
例えば、制御部３５０は、非接触通信による受信信号強度もしくは受信信号対雑音比（例えば、ＲＳＳＩもしくはＳＮＲ）が大きいほど、またはキオスク端末２００ａが具備するカメラ３３０を用いて検出されるキオスク端末２００ａのアンテナ２３０と携帯端末１００のアンテナ１３０との位置ずれが少ないほど、ディスプレイ２１０に表示する動画の再生速度が速くなるように制御する。これにより、ユーザは、より動画の再生速度が速くなる位置に携帯端末１００をかざすだけで、互いのアンテナの位置ずれが少なくなるようにすることができる。
【００８６】
なお、制御部３５０ａは、再生速度に代えて、短時間当たりの再生コマ数（フレーム数）、ビットレート等を変更してもよい。例えば、制御部３５０ａは、ＲＳＳＩもしくはＳＮＲが大きいほど、またはカメラ３３０により撮影された画像から検出したアンテナ１３０とアンテナ２３０との位置関係から検出される位置ずれが少ないほど、ディスプレイ２１０に表示する動画の短時間当たりの再生コマ数（フレーム数）を多くしてもよいし、またはビットレートを高くしてもよい。一方、制御部３５０ａは、ＲＳＳＩもしくはＳＮＲが小さいほど、またはカメラ３３０により撮影された画像から検出したアンテナ１３０とアンテナ２３０との位置関係から検出される位置ずれが多いほど、ディスプレイ２１０に表示する動画の短時間当たりの再生コマ数（フレーム数）を少なくしてもよいし、またはビットレートを低くしてもよい。
【００８７】
以上、この発明の実施形態について図面を参照して詳述してきたが、具体的な構成は上述の実施形態に限られるものではなく、この発明の要旨を逸脱しない範囲の設計等も含まれる。例えば、上述の第１、第２、および第３の実施形態において説明した構成は、任意に組み合わせることができる。
【００８８】
なお、図１に示す位置合わせ補助装置３００及び図３に示す位置合わせ補助装置３００ａは、カメラ３３０を備えた構成として説明したが、カメラ３３０を備えていない構成としてもよい。例えば、位置合わせ補助装置３００（３００ａ）は、非接触通信による受信信号強度もしくは受信信号対雑音比（例えば、ＲＳＳＩもしくはＳＮＲ）のみに基づいて通知部（例えば、送風機３１０またはディスプレイ２１０）を制御する場合には、タッチ部２２０にかざされる携帯端末１００を撮影した画像が不要であるため、カメラ３３０を備えていない構成としてもよい。
【００８９】
また、上記実施形態において、記憶部３２０がキオスク端末２００（２００ａ）に備えられている例を説明したが、キオスク端末２００（２００ａ）とは異なるサーバ装置に備えられてもよい。例えば、制御部３５０は、キオスク端末２００（２００ａ）とは異なるサーバ装置に備えられた記憶部３２０に通信網を介して通信することにより、記憶部３２０に記憶されている情報を参照してもよい。
【００９０】
また、非接触通信による通信を行う情報端末として、キオスク端末２００（２００ａ）を一例として説明したが、キオスク端末２００（２００ａ）に限られるものではない。例えば、非接触通信による通信を行う情報端末は、キオスク端末２００（２００ａ）以外の端末であってもよいし、携帯端末１００の情報を読取る機能又は書き込む機能を有するリーダライタ等であってもよい。一方、非接触通信による通信を行う携帯端末１００として、スマートフォンを一例として説明したが、スマートフォンに限られるものではない。例えば、携帯端末１００は、携帯電話、タブレット型のコンピュータ、携帯型ゲーム機、非接触型ＩＣカード等であってもよい。
【００９１】
なお、上述した実施形態における制御部３５０をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００９２】
また、上述した機能の一部または全部を、ＬＳＩ（Ｌａｒｇｅ  Ｓｃａｌｅ  Ｉｎｔｅｇｒａｔｉｏｎ）等の集積回路として実現してもよい。上述した各機能は個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【００９３】
１、１ａ  非接触通信システム、１００  携帯端末、３０  アンテナ、１５０  送信部、１６０  受信部、１７０  切替部、２００、２００ａ  キオスク端末、２１０  ディスプレイ、２２０  タッチ部、２３０  アンテナ、２５０  送信部、２６０  受信部、２７０  切替部、３００、３００ａ  位置合わせ補助装置、３１０  送風機、３１５  送風口、３２０  記憶部、３３０  カメラ、３５０ａ  制御部
【図１】
2015115783.tif 000003
【図２】
2015115783.tif 000004
【図３】
2015115783.tif 000005
【図４】
2015115783.tif 000006
【図５】
2015115783.tif 000007